(57)【特許請求の範囲】
【請求項１】
映像信号を授受し得る画像入出力手段と、
規格に応じた簡易型携帯電話間で通信する簡易型携帯電話システムと、
上記画像入出力手段からの受信信号による所定の映像情報をエンコードするエンコード部及び、当該エンコード部でエンコードされた信号を上記簡易型携帯電話システムの子機間通話モードで上記簡易型携帯電話を操作するための外部デイジタルインターフエース仕様に変換する第１の変換部並びに、上記簡易型携帯電話システムによる受信信号の映像情報から所定の映像情報を復元する第２の変換部を有する映像送受信手段と、
を具えることを特徴とする映像送受信システム。
【請求項２】
エンコードされた外部からの受信信号による所定の映像情報を、規格に応じた簡易型携帯電話間で通信する簡易型携帯電話システムの子機間通話モードで当該簡易型携帯電話を操作するための外部デイジタルインターフエース仕様に変換する第１の変換手段と、
上記簡易型携帯電話システムによる受信信号の映像情報から所定の映像情報を復元する第２の変換手段と
を具えることを特徴とする映像送受信装置。
【発明の詳細な説明】
【０００１】
【発明の属する技術分野】
本発明は映像送受信システム及び映像送受信装置に関し、特に簡易型携帯電話システムであるＰＨＳ（Personal Handyphone System）とカムコーダを接続して映像信号を授受するものに適用して好適である。
【０００２】
【従来の技術】
従来、通信技術としては電話回線を用いるものが殆どであつたが、無線伝送による携帯電話などの利用が年々増加の傾向をみせている。また、近年では、複数の地点間の画像情報の伝送として、例えば遠隔地などに画像情報を伝送するなどの通信技術が進歩している。この画像情報を伝送する際の手段として、電話回線による伝送や、無線伝送などがある。
【０００３】
【発明が解決しようとする課題】
ところで、上述の画像情報の伝送によれば、電話回線を用いた場合、現在では通話料が市内通話の場合１分10円のコストがかかる。また、回線の画像品質がわるく、１画像あたりの伝送時間が長いという欠点がある。
さらに、無線伝送の場合は、無線機操作をするためには所定の資格が必要であり、無線機の価格が非常に高い欠点がある。また、無資格で操作できる伝送モードの場合、その伝送画像品質がわるく、１画像の伝送時間が長いという問題がある。
【０００４】
本発明は以上の点を考慮してなされたもので、映像信号を低コストで容易に遠隔地まで伝送し得る映像送受信システム及び映像送受信装置を提案しようとするものである。
【０００５】
【課題を解決するための手段】
かかる課題を解決するため本発明においては、エンコードされた外部からの受信信号による所定の映像情報を、規格に応じた簡易型携帯電話間で通信する簡易型携帯電話システムの子機間通話モードで当該簡易型携帯電話を操作するための外部デイジタルインターフエース仕様に変換する第１の変換手段と、簡易型携帯電話システムによる受信信号の映像情報から所定の映像情報を復元する第２の変換手段とを備えるようにする。
【０００６】
また本発明においては、映像信号を授受し得る画像入出力手段と、規格に応じた簡易型携帯電話間で通信する簡易型携帯電話システムとを、画像入出力手段からの受信信号による所定の映像情報をエンコードするエンコード部及び、当該エンコード部でエンコードされた信号を簡易型携帯電話システムの子機間通話モードで簡易型携帯電話を操作するための外部デイジタルインターフエース仕様に変換する第１の変換部並びに、上記簡易型携帯電話システムによる受信信号の映像情報から所定の映像情報を復元する第２の変換部を有する映像送受信手段に接続させる。
【０００７】
エンコードされた外部からの受信信号による所定の映像情報を、規格に応じた簡易型携帯電話間で通信する簡易型携帯電話システムの子機間通話モードで当該簡易型携帯電話を操作するための外部デイジタルインターフエース仕様に変換する第１の変換手段と、簡易型携帯電話システムによる受信信号の映像情報から所定の映像情報を復元する第２の変換手段とを設けることにより、簡易型携帯電話同士が通話コストの発生しない子機間通話モードで映像信号を送受信できる。
【０００８】
また、映像信号を授受し得る画像入出力手段と、規格に応じた簡易型携帯電話間で通信する簡易型携帯電話システムとを、画像入出力手段からの受信信号による所定の映像情報をエンコードするエンコード部及び、当該エンコード部でエンコードされた信号を簡易型携帯電話システムの子機間通話モードで簡易型携帯電話を操作するための外部デイジタルインターフエース仕様に変換する第１の変換部並びに、上記簡易型携帯電話システムによる受信信号の映像情報から所定の映像情報を復元する第２の変換部を有する映像送受信手段に接続させることにより、簡易型携帯電話同士が通話コストの発生しない子機間通話モードで映像信号を送受信できる。
【０００９】
【発明の実施の形態】
以下図面について、本発明の一実施例を詳述する。
【００１０】
図１においては、本発明における映像送受信装置１の構成を示す。映像送受信装置１は、デイジタル変換エンコード部２、アナログ変換デコード部３、ＰＨＳ用デイジタルデータ変換部４、ＰＨＳ受信データ復元部５、制御部６でなつている。デイジタル変換エンコード部２は、Ａ／Ｄコンバータ、メモリ、ＭＰＥＧ、エンコーダ等でなつており、映像送受信装置１に接続されるカムコーダなどの画像入力部７ａからの入力信号をデイジタル信号に変換し、エンコードするためのものである。デイジタル変換エンコード部２に接続されるＰＨＳ用デイジタルデータ変換部４は、エンコードされた信号を、映像送受信装置１に接続されるＰＨＳ８に出力するため、規格で定められたＰＨＳ用のデイジタルデータに変換するものである。
【００１１】
ＰＨＳ受信データ復元部５はアナログ変換デコード部３と接続されており、映像送受信装置１に接続されるＰＨＳ８から受信された受信信号を復元し、アナログ変換デコード部３によつてアナログ変換とデコードされた信号を、映像送受信装置１に接続されるカムコーダのＬＣＤやテレビ受像機などの画像出力部７ｂに出力するようになされている。
また、デイジタル変換エンコード部２、アナログ変換デコード部３、ＰＨＳ用デイジタルデータ変換部４及びＰＨＳ受信データ復元部５は、それぞれ制御部６と接続されており、各処理は制御部６によつて制御されるようになされている。
【００１２】
以上の構成において、本発明の映像送受信装置１を用いた具体例として、ＰＨＳとＬＣＤ付きカムコーダを映像送受信装置１に接続した映像送受信システム１０を図２に示す。これは、一方にＰＨＳ１１を接続した映像送受信装置１の他方にＬＣＤ付きカムコーダ１２を接続してなる映像送受信システム１０Ａ、１０Ｂであり、例えばこのシステム１０Ａ、１０Ｂをそれぞれ別の車両に搭載する。ここで、映像送受信システム１０Ａ、１０Ｂ間で映像データの授受を行うことにより移動テレビ電話として用いることができる。
【００１３】
まず、映像送受信システム１０Ａが映像送受信システム１０Ｂに対して任意の映像を送信する場合について述べる。映像送受信システム１０Ａは、制御部５からの制御信号によりカムコーダ１２のＬＣＤ上に表示されている映像を映像送受信装置１内のデイジタル変換エンコード部２へ出力する。このデイジタル変換エンコード部２を介された信号は、ＰＨＳ用デイジタルデータ変換部４に入力されＰＨＳ規格対応のデイジタルデータに変換し、ＰＨＳ本体へと送出され、映像送受信システム１０Ａの外部へと出力される。
【００１４】
映像送受信システム１０Ｂは、映像送受信システム１０Ａに設けられたＰＨＳ１１によつて送信される電波をＰＨＳ本体が受信すると、当該受信信号が映像送受信装置１内のＰＨＳ受信データ復元部５、アナログ変換デコード部３を順に介して画像出力部すなわちカムコーダ１２のＬＣＤ上に表示される。このように、映像送受信システム１０Ａ、１０Ｂ間で映像データの授受を行うことにより、移動テレビ電話のように使用することができる。
【００１５】
また、本発明の映像送受信装置１を用いた他の具体例として、ＰＨＳとカメラを接続した映像送受信システム２０を図３に示す。このシステム２０は、一方にＰＨＳを接続し、他方にカメラを接続してなる映像送受信システム２０Ａと、一方にＰＨＳを接続し、他方にモニタを接続してなる映像送受信システム２０Ｂとで映像データの送受信ができるようになされている。
【００１６】
まず、映像送受信システム２０Ａのカメラ受像部２１によつて撮像された映像信号は、映像送受信装置１の入力端であるデイジタル変換エンコード部２を介して、ＰＨＳ用デイジタルデータ変換部４に入力されＰＨＳ対応のデイジタルデータに変換し、ＰＨＳ本体へと送出され、映像送受信システム２０Ａの外部へと出力される。
映像送受信システム２０Ｂは、映像送受信システム２０Ａによつて送信される電波をＰＨＳ本体が受信すると、当該受信信号が映像送受信装置１内のＰＨＳ受信データ復元部５、アナログ変換デコード部３を順に介して画像出力部すなわちテレビ受像機２２のモニタ上に表示される。
このように、信号ケーブルを設置できない場合や一時的監視カメラを設置したい場合などに用いることにより簡単かつローコストで実現できる。また、ＶＴＲ２３などの画像記録装置に画像を記録することもできる。
【００１７】
本発明の映像送受信装置１を用いて構成される映像送受信システム１０Ａ、１０Ｂ、２０は、子機間通話モードでＰＨＳを操作するため、通話コストが発生しない。また、ＰＨＳであるため特別な資格はいらず、さらに、ＰＨＳのデータ伝送速度は 384〔kbps〕であるため、携帯電話のデータ伝送速度（42〔kbps〕）やＮＴＴ回線のデータ伝送速度（16〔kbps〕）に比して高品質の画像を伝送できる。このように本発明は近い将来大幅に普及することが予想されるＰＨＳの外部デイジタルインターフエース仕様を用いるため、複数地点間の画像伝送を低コスト、高品質、無資格で実現できる。
【００１８】
以上の構成によれば、デイジタル変換エンコード部２、アナログ変換デコード部３、ＰＨＳ用デイジタルデータ変換部４、ＰＨＳ受信データ復元部５、制御部６で構成された映像送受信装置１、すなわちカムコーダの画像情報をＰＨＳの外部デイジタルインターフエース仕様に変換する機能と、ＰＨＳで受信した画像情報から元の画像情報に復元する機能とを有する映像送受信装置１をＰＨＳ及びカムコーダに接続することにより、低コストで容易に映像を遠隔地まで伝送することができる。
ＰＨＳは現行の電話や携帯電話よりもデイジタル化により大容量のデータを伝送できかつトランシーバーのように子機間通話ができる。このため、カムコーダはＰＨＳを接続することにより、テレビ電話のように映像データを授受し得る。
【００１９】
なお上述の実施例においては、一方にＰＨＳ１１を接続した映像送受信装置１の他方にＬＣＤ付きカムコーダ１２を接続してなる映像送受信システム１０Ａ、１０Ｂをそれぞれ別の車両に搭載し、移動テレビ電話のように使用するものについて述べたが、本発明はこれに限らず、移動可能な車両内のみならず事業所内における簡易ＴＶ会議システムなど様々な用途に用いるようにしても良い。
【００２０】
また上述の実施例においては、映像送受信装置１と画像入出力装置によつてアナログ信号が授受されるものについて述べたが、本発明はこれに限らず、映像送受信装置と画像入出力装置とで授受される信号をデイジタルデータとしても良い。この場合、映像送受信装置１に配設されているデイジタル−アナログ変換装置は省略することができる。
【００２１】
【発明の効果】
上述のように本発明によれば、エンコードされた外部からの受信信号による所定の映像情報を、規格に応じた簡易型携帯電話間で通信する簡易型携帯電話システムの子機間通話モードで当該簡易型携帯電話を操作するための外部デイジタルインターフエース仕様に変換する第１の変換手段と、簡易型携帯電話システムによる受信信号の映像情報から所定の映像情報を復元する第２の変換手段とを設けることにより、簡易型携帯電話同士が通話コストの発生しない子機間通話モードで映像信号を送受信できるので、映像信号を低コストで容易に遠隔地まで伝送し得る映像送受信装置を実現することができる。
【００２２】
また、映像信号を授受し得る画像入出力手段と、規格に応じた簡易型携帯電話間で通信する簡易型携帯電話システムとを、画像入出力手段からの受信信号による所定の映像情報をエンコードするエンコード部及び、当該エンコード部でエンコードされた信号を簡易型携帯電話システムの子機間通話モードで簡易型携帯電話を操作するための外部デイジタルインターフエース仕様に変換する第１の変換部並びに、上記簡易型携帯電話システムによる受信信号の映像情報から所定の映像情報を復元する第２の変換部を有する映像送受信手段に接続させることにより、簡易型携帯電話同士が通話コストの発生しない子機間通話モードで映像信号を送受信できるので、映像信号を低コストで容易に遠隔地まで伝送し得る映像送受信システムを実現することができる。
【図面の簡単な説明】
【図１】本発明の一実施例における映像送受信装置の構成を示す略線的ブロツク図である。
【図２】本発明の映像送受信装置を用いてなる映像送受信システムを示す略線図である。
【図３】本発明の映像送受信装置を用いてなる映像送受信システムを示す略線図である。
【符号の説明】
１……映像送受信装置、２……デイジタル変換エンコード部、３……アナログ変換デコード部、４……ＰＨＳ用デイジタルデータ変換部、５……ＰＨＳ受信データ復元部、６……制御部、７ａ……画像入力部、７ｂ……画像出力部、８、１１……ＰＨＳ、１０Ａ、１０Ｂ、２０Ａ、２０Ｂ……映像送受信システム、１２……カムコーダ、２１……カメラ受像部、２２……テレビ受像機、２３……ＶＴＲ。
【図１】
0003676468.tif 000002
【図２】
0003676468.tif 000003
【図３】
0003676468.tif 000004